(57)【要約】【課題】  従来と比べて格段と使い勝手を向上させた文具収納具を実現する。【解決手段】  この文具収納具１は、複数の文具収納空間ＳＰが形成されていることにより、ユーザは種々の文具を各文具収納空間ＳＰに分別して収納することができ、またこれら文具収納空間ＳＰが形成されるシート部２がシート状でなることにより、従来の筒状でなる筒状文具収納具と比べて設置スペースを小さくすることができる。【選択図】          図１
2006015716.tif 000002
【特許請求の範囲】
【請求項１】
シート部と、
上記シート部表面との間に文具収納空間を形成するようにそれぞれ設けられた複数の文具保持部と
を具えることを特徴とする文具収納具。
【請求項２】
上記文具収納空間は、文具が挿入される上側開口部から下側開口部に至るほど徐々に狭くなるように形成されてなる
ことを特徴とする請求項１に記載の文具収納具。
【発明の詳細な説明】
【技術分野】
【０００１】  本発明は文具収納具に関し、鉛筆や定規や消しゴム等の文具を収納するものに適用して好適なものである。
【背景技術】
【０００２】  従来の文具収納具では、形状が筒状に形成されているものが広く市販されている。このような筒状の文具収納具（以下、これを筒状文具収納具と呼ぶ）では、その中空部分に対して鉛筆や定規や消しゴム等の文具が収納される。
【発明の開示】
【発明が解決しようとする課題】
【０００３】  ところで筒状文具収納具は、その形状が筒状になっているため、机上に設置した際に多くのスペースを必要としてしまう問題がある。さらにこのような筒状文具収納具では、文具収納具の中空部分に対して、鉛筆や定規や消しゴム等の文具が混在するように収納されるので、ユーザは所望の文具を取り出す際収納されている種々の文具の中から所望の文具を探し出すのに手間がかかってしまい、この結果、使い勝手が良いとは言えない問題があった。【０００４】  本発明は以上の点を考慮してなされたもので、従来と比べて格段と使い勝手を向上させた文具収納具を提案しようとするものである。
【課題を解決するための手段】
【０００５】  かかる課題を解決するため本発明においては、文具収納具において、シート部と、シート部表面との間に文具収納空間を形成するようにそれぞれ設けられた複数の文具保持部とを設けるようにした。
【発明の効果】
【０００６】  本発明によればこの文具収納具は、例えばシート部の裏面を壁面に接するようにして壁に固定することができるので、従来の筒状文具収納具と比べて設置スペースを小さくすることができる。また、シート部の表面には複数の部品収納空間が設けられているので、種々の文具を分別して収納することができる。かくして、格段と使い勝手を向上させた文具収納具を実現することができる。
【発明を実施するための最良の形態】
【０００７】  以下図面について、本発明の一実施の形態を詳述する。【０００８】（１）文具収納具の構成
図１乃至図３において、１は全体として文具収納具を示し、可撓性の素材でなるシート部２と、当該シート部２の表面２Ａに設けられた複数の文具保持部３（Ａ、Ｂ、Ｃ、Ｄ）とを有している。このシート部２は、例えばシート状のプラスチックが略長方形に形成されたものでなる。【０００９】  文具保持部３Ａは、図４に示すようにシート状のプラスチックが略台形状に形成されたものでなる。この文具保持部３Ａは、当該文具保持部３Ａの長手方向に延長する中心線Ｌ１がシート部２の上下方向（矢印ａで示す）とほぼ一致するように、かつ、当該文具保持部３の上辺部分ＳＤ１を上側とし当該上辺部分ＳＤ１と平行で当該上辺部分ＳＤ１よりも短い下辺部分ＳＤ２を下側とし、かつ、当該文具保持部３Ａの中心線Ｌ１部分がシート部２の表面垂直上方向（矢印ｂで示す）に撓むようにして、当該文具保持部３Ａの両端部分ＳＤ３、ＳＤ４がシート部２の表面２Ａに固着される。【００１０】  これにより、シート部２の上下方向ａと一致し、かつ、上側開口部ＯＰ１から下側開口部ＯＰ２に至るほど徐々に狭くなるような文具収納空間ＳＰが、シート部２の表面２Ａと文具保持部３Ａとの間に形成される。【００１１】  この文具保持部３Ａに隣接するようにして、他の文具保持部３Ｂ、３Ｃ、３Ｄも同じようにしてシート部２の表面２Ａに設けられる。この結果このシート部２の表面２Ａには、複数の文具収納空間ＳＰが形成される。【００１２】  以上の構成において、文具収納空間ＳＰの上側開口部ＯＰ１から鉛筆やシャープペン等の棒状文具５が挿入されると、文具保持部３Ａは、当該挿入された棒状文具５をシート部２の表面２Ａと挟み込むようにして保持する。これによりユーザは、シート部２の表面２Ａと文具保持部３Ａとの間に形成された文具収納空間ＳＰに対して、棒状文具５を収納することができる。【００１３】  またこのシート部２には、この他複数の文具保持部３Ｂ、３Ｃ、３Ｄが同じようにして設けられていることにより、複数の文具収納空間ＳＰが形成されている。これによりユーザは、種々の文具を各文具収納空間ＳＰに分別して収納することができる。【００１４】  さらにこの文具収納具１は、文具収納空間ＳＰが設けられるシート部２がシート状でなることにより、例えばこのシート部２の裏面２Ｂを壁面に接するようにして壁に固定することができるので、従来の筒状文具収納具と比べて設置スペースを小さくすることができる。またこのシート部２は可撓性の素材でなることにより、固定する壁面に凹凸が存在していても確実に固定することができる。【００１５】  以上の構成によれば、この文具収納具１は、複数の文具収納空間ＳＰが形成されていることにより、ユーザは種々の文具を各文具収納空間ＳＰに分別して収納することができ、またこれら文具収納空間ＳＰが形成されるシート部２がシート状でなることにより、従来の筒状でなる筒状文具収納具と比べて設置スペースを小さくすることができる。この結果、従来と比べて格段と使い勝手を向上させた文具収納具１を実現することができる。【００１６】  また本実施の形態の場合この文具収納空間ＳＰは、上側開口部ＯＰ１から下側開口部ＯＰ２に至るほど徐々に狭くなるように形成されていることにより、上側開口��ＯＰ１から挿入された棒状文具５の先端部分が下側開口部ＯＰ２分まで至らず、この結果この棒状文具５はその後端部分が上側開口部ＯＰ１から突出するようにして収納される。これによりユーザは、当該収納されている棒状文具５を簡単に取り出すことができる。【００１７】  さらに本実施の形態の場合この文具収納空間ＳＰは、その下側が下側開口部ＯＰ２として開口していることにより、鉛筆の削りカス等のゴミが上側開口部ＯＰ１から入ってしまっても下側開口部ＯＰ２から外部に排出されるので、ユーザに掃除させるような手間をかけなくて済む。【００１８】  さらに本実施の形態の場合このシート部２の周縁部には、画鋲等のピンが挿通される複数のピン挿通孔６が形成されている。これによりユーザは、このシート部２の裏面２Ｂ側を壁面に接するようにした状態で、当該シート部２の表面２Ａ側から画鋲等のピンを、当該シート部２の周縁部に形成されている各ピン挿通孔６に挿通するように差し込むことにより、シート部２に傷を付けることなく文具収納具１を壁面に固定することができる。【００１９】（２）他の実施の形態
なお上述の実施の形態においては、シート部２や文具保持部３としてシート状のプラスチックを適用する場合について述べたが、本発明はこれに限らず、布やビニール等の素材を適用するようにしても良い。またシート部２や文具保持部３としては、可撓性を有しない素材を適用するようにしても良い。【００２０】  また上述の実施の形態においては、シート部２の周縁部にピン挿通孔６を設ける場合について述べた。しかしながら本発明はこれに限らず、例えば図５に示すように、シート部２の左右両辺部分に対して係止具１０を設けるようにしても良い。例えば図５の場合、この係止具１０として、シート部２の左右両辺部分のうちの一辺部分に、ゴム等の紐状部材１０Ａが輪を形成するようして設けられ、そしてシート部２の左右両辺部分のうちの他辺部分に、かかる紐状部材１０Ａを引っ掛けるための突起１０Ｂが設けられている。これにより、例えばシート部２の裏面２Ｂ側を筒状文具収納具の表面に沿うようにして巻きつけた状態で、シート部２の一辺部分に輪を形成するようにして設けられている紐状部材１０Ａを、シート部２の他辺部分に設けられている突起１０Ｂに引っ掛けることにより、この文具収納具１を筒状文具収納具に巻きつけるようにして係止することができる。【００２１】  さらに上述の実施の形態においては、画鋲等のピンにより文具収納具１を壁面に固定する場合について述べたが、本発明はこれに限らず、例えばシート部２の裏面２Ｂ側に粘着性素材（例えば両面テープ等）を付加しておき、この粘着性素材により文具収納具１を壁面や筒状文具収納具等に固定するようにしても良い。【００２２】  さらに上述の実施の形態においては、文具として棒状文具５（鉛筆やシャープペン等）を文具収納空間ＳＰに収納する場合について述べたが、本発明はこれに限らず、定規や消しゴム等の文具を収納する場合にも適用することができる。
【産業上の利用可能性】
【００２３】  本発明は、文具を収納する文具収納具１等に利用することができる。
【図面の簡単な説明】
【００２４】
【図１】  本実施の形態における文具収納具を示す略線図である。
【図２】  文具収納具の略線的側面図である。
【図３】  文具収納具の略線的斜視図である。
【図４】  文具保持部の構成を示す略線図である。
【図５】  他の実施の形態を示す略線図である。
【符号の説明】
【００２５】  １……文具収納具、２……シート部、３……文具保持部、６……ピン挿通孔、ＳＰ……文具収納空間。
【図１】
2006015716.tif 000003
【図２】
2006015716.tif 000004
【図３】
2006015716.tif 000005
【図４】
2006015716.tif 000006
【図５】
2006015716.tif 000007